(57)【要約】    本発明は、ホーン装置を備える自動車用ハンドルに関し、ハンドルは、フレーム（１）と、休止位置と押下位置との間で移動可能な取り付け支持体（２）と、第１の誘導部品（８、８１）及び第２の誘導部品（７）を備える、取り付け支持体を誘導するための手段と、第１の接触端子（３）及び第２の接触端子（４）を備える、少なくとも１つのスイッチを有する電気回路部品と、弾性戻り手段（９）と、変形可能な減衰手段（５）と、弾性戻り手段の戻り力を受容するための押圧インターフェース（７１）を備える第２の誘導部品と、を備え、押圧インターフェースは、弾性戻り手段と減衰手段との間に配置されることと、第２の接触端子が、第２の誘導部品によって支持されることを特徴とする。  【選択図】図２
2022500292.tif 000002
【特許請求の範囲】
【請求項１】
ホーン装置を備える自動車用ハンドルであって、
−フレーム（１）と、
−安全モジュールを受容するように配置されており、休止位置と押下位置との間で前記フレーム（１）に対して移動可能である、取り付け支持体（２）と、
−前記取り付け支持体（２）を誘導するための手段であって、前記フレーム（１）と一体化された第１の誘導部品（８、８１）と、前記取り付け支持体（２）と一体化された第２の誘導部品（７）と、を備える、手段と、
−前記フレーム（１）上に配置された第１の接触端子（３）、及び前記取り付け支持体（２）に埋め込まれた第２の接触端子（４）を備える少なくとも１つのスイッチを有するホーン電気回路部品と、
−前記押下位置から前記休止位置に向かって戻るように押圧するために、前記第２の誘導部品（７）に戻り力を自動的に及ぼすように配置された弾性戻り手段と、
−前記取り付け支持体（２）と前記第２の誘導部品分（７）との間に位置決めされた、前記弾性戻り手段とは別個の、変形可能な減衰手段（５）と、を備え、
−前記第２の誘導部品（７）が、前記弾性戻り手段の前記戻り力を受容するための押圧インターフェース（７１）を備え、
−前記押圧インターフェース（７１）が、前記弾性戻り手段と前記減衰手段（５）との間に配置されていることと、
−前記第２の接触端子（４）が、前記第２の誘導部品（７）によって支持されていることと、を特徴とする、自動車用ハンドル。
【請求項２】
前記減衰手段（５）が、前記第２の接触端子（４）と前記弾性戻り手段との間に配置されている、請求項１に記載の自動車用ハンドル。
【請求項３】
前記ホーンスイッチが、前記休止位置において閉鎖状態にある、請求項１又は２のいずれか一項に記載の自動車用ハンドル。
【請求項４】
前記第１の誘導部品（８、８１）が、停止部又は前記休止位置を画定する肩部を備えるねじ（８）である、請求項１〜３のいずれか一項に記載の自動車用ハンドル。
【請求項５】
前記第２の誘導部品（７）が、前記ねじ（８）の上を摺動するように配置された摺動スリーブである、請求項４に記載の車両用ハンドル。
【請求項６】
前記減衰手段（５）が、溝（７２）内、及び前記第２の誘導部品（７）の第１の支持面と第２の支持面との間に配置されており、
−前記第１の支持面が、前記第２の支持面よりも大きく、
−前記第２の支持面が、前記減衰手段（５）が前記溝（７２）内に挿入されることを可能にするのに十分小さく、
−前記車両用ハンドルが、前記減衰手段（５）と前記第２の支持面との間に配置されたスペーサ（６）を更に備える、請求項１〜５のいずれか一項に記載の車両用ハンドル。
【請求項７】
前記スペーサ（６）が、前記第２の支持面に対して前記休止位置に向かう方向においてオフセットされた前記減衰手段（５）と共有された接触面を有する、請求項６に記載のハンドル。
【請求項８】
前記スペーサ（６）が、挟持により、又は差し込みインターフェースを介して前記第２の誘導部品（７）上に、組み立てられるように配置されている、請求項６又は７に記載のハンドル。
【請求項９】
前記第１の支持面が、前記第２の接触端子（４）によって形成されている、請求項６〜８のいずれか一項に記載の車両用ハンドル。
【請求項１０】
前記第１の接触端子（３）が、前記ホーンの作動方向に対して垂直な方向において、前記ねじ（８）上で挟持されるように配置されている、請求項４に記載の車両用ハンドル。
【請求項１１】
前記第１の接触端子（３）が、電気的に絶縁性の挟持インターフェース（３１）と一体化されており、前記挟持インターフェース（３１）が、前記第１の接触端子（４）を前記ねじ（８）上で挟持するように配置されたクリップを備える、請求項１０に記載の車両用ハンドル。
【請求項１２】
誘導手段が、２つのねじ（８）で構成され、
前記電気回路部品が、２つのスイッチを備え、
前記ハンドルが、各ねじ（８）と一体化された端子支持体を更に備え、前記端子支持体が、各スイッチの前記２つの第１の端子（３）を支持する、請求項１〜４のいずれか一項に記載の車両用ハンドル。
【請求項１３】
各端子支持体が、ねじ（８）上で挟持されている、請求項１２に記載の車両用ハンドル。
【請求項１４】
請求項１〜１３のいずれか一項に記載の車両用ハンドルを備える自動車。
【請求項１５】
請求項４に記載のハンドルを組み立てるための方法であって、
−前記取り付け支持体（２）を前記押下位置に位置決めするように、前記弾性戻り手段を圧縮する工程と、
−前記ねじ（８）をねじ込む工程と、
−前記第１の接触端子（３）を所定の方向に配向するように、前記第１の接触端子（３）を前記ねじ（８）上で挟持する工程と、
−前記スイッチを閉鎖するために前記弾性戻り手段を解放する工程と、を含む、方法。
【発明の詳細な説明】
【技術分野】
【０００１】
本発明は、概して、ホーン制御装置及び振動減衰装置を備える自動車用ハンドルに関する。
【背景技術】
【０００２】
ホーン及び振動ダンパの機能を組み合わせる装置は、先行技術から既知である。国際公開第２０１７１５４５７１号は、
−ホーンの端子が、エアバッグ取り付け支持体上及びハンドルフレーム上に位置付けられ、
−ホーンの戻りばねは、減衰手段を圧縮することを記載する。
したがって、システムは、ホーンの端子と振動ダンパの有効性との間に含まれる多数の部品が、ホーンの戻しばねの一定の圧縮によって悪影響を受けることに起因して、コンパクト化及び簡素化を欠き、これらが減衰のコンパクト化を低減させる。
【発明の概要】
【課題を解決するための手段】
【０００３】
本発明の１つの目的は、先行技術の文書の上述の欠点に応答し、特に主に、ホーンがコンパクトであり、振動を効果的に吸収することができるハンドルを提案することである。
【０００４】
そのために、本発明の第１の態様は、ホーン装置を備える自動車用ハンドルに関し、ハンドルは、
−フレームと、
−安全モジュールを受容するように配置され、休止位置と押下位置との間でフレームに対して移動可能である取り付け支持体と、
−取り付け支持体を誘導するための手段であって、フレームと一体化された第１の誘導部品と、取り付け支持体と一体化された第２の誘導部品と、
−フレーム上に配置された第１の接触端子と、取り付け支持体に埋め込まれた、第２の接触端子と、を備える少なくとも１つのスイッチを有するホーン電気回路部品と、
−押下位置から休止位置に向かって戻るように押圧するために、第２の誘導部品上に戻り力を自動的に及ぼすように配置された弾性戻り手段と、
−取り付け支持体と第２の誘導部品との間に位置決めされた、弾性戻り手段とは別個の、変形可能な減衰手段と、を備え、
−第２の誘導部品が、弾性手段の戻り力を受容するための押圧インターフェースを備え、
−押圧インターフェースが、弾性戻り手段と減衰手段との間に配置されることと、
−第２の接触端子が、第２の誘導部品によって支持されていることを特徴とする。
【０００５】
第２の接触端子のための支持体としての第２の誘導部品の使用は、第２の接触端子と第２の誘導部品との間にレバーアームが存在しないため、装置をよりコンパクトにし、スイッチの状態の変更をよりはっきり見えるようにする。
減衰手段から引き離され、かつ分離される押圧インターフェースは、減衰手段を介した戻り力の通過を回避することを可能とする。減衰手段が弾性戻り手段によって常時圧縮されないという事実は、第２の誘導部品上に直接戻り力を及ぼすことによって、減衰手段の反応が改善されることを意味する。このため、多量の安全モジュールを使用して、ハンドルの振動のより良好な減衰を可能にする。
休止位置では、ホーンは、作動せず、したがって、いずれの警告信号も発しない。取り付け支持体が押下位置にあるとき、ホーンは作動し、したがって警告信号を発する。
【０００６】
上記の実装によれば、変形可能な減衰手段は、弾性戻り手段とは別個であり、取り付け支持体と第２の誘導部品との間に位置決めされ、押圧インターフェースは、弾性戻り手段と減衰手段との間に配置される。その結果、減衰手段に割り当てられる軸方向空間は、ばね力又は取り付け支持体の位置とは無関係となる。
【０００７】
上記の実装によれば、押圧インターフェースは、弾性戻り手段と減衰手段との間に、取り付け支持体の軸方向又は変位方向に配置される。換言すれば、ばねの停止部は、減衰手段（又はダンパ）の下にある。
【０００８】
上記の実装によれば、第２の接触端子は、第２の誘導部品によって支持され、支持体上に存在するか、又は支持体に供給される振動が接触端子に伝達されないことを保証する。
【０００９】
有利には、押圧インターフェースは、誘導手段又は弾性戻り手段と減衰手段との間で、取り付け支持体の変位に対して径方向又は横断方向に配置される。その結果、減衰手段の内径は、誘導手段又は弾性戻り手段の外径若しくは停止部（押圧インターフェース）の外径よりも大きい。
【００１０】
有利には、第２の誘導部品及び／又は押圧インターフェースは、弾性戻り手段を保持するためのインターフェース、例えば、螺旋ばねに結合されるように配置された、縁部を有する溝などの、もみの木の基部形状のインターフェースを備える。
【００１１】
有利には、誘導手段は、１つ以上の誘導要素である。
【００１２】
有利には、弾性戻り手段は、１つ以上の弾性戻り手段である。
【００１３】
有利には、減衰手段は、１つ以上の減衰手段である。
【００１４】
有利には、減衰手段は、第２の接触端子と弾性戻り手段との間に配置される。
【００１５】
この実施形態は、減衰手段の支持体として、第２の接触端子を使用することを可能とするので、更に簡略化され、よりコンパクトである。
【００１６】
有利には、誘導手段は、ホーンの作動の方向に平行移動で取り付け支持体を誘導するように配置される。
【００１７】
有利には、押圧インターフェースは、弾性戻り手段と直接接触する。この実施形態は、あらゆる中間部品を回避しながら、インターフェースを簡素化する。
【００１８】
有利には、ホーンスイッチは、休止位置において閉鎖状態にある。
【００１９】
換言すれば、電気回路は、休止位置で閉鎖される。取り付け支持体が押下されると、電気回路が、開放される。この状態の変化は、回路が開放されたときに警告信号の送信をトリガするように配置された演算部によって検出され得る。このタイプのホーン作動は、作動経路が回路を閉鎖する必要があるときに、非常に短いため、応答性が高い。作動距離がより短いため、可動構成要素間、特に安全モジュールと周囲の固定部品との間のより小さい隙間を画定することを可能とする。弾性戻り手段の剛性は、ホーンを作動させるのに必要な力を増加させることなく、より大きくなるように選択され得る（不適当なトリガの危険性を低減する）。
【００２０】
有利には、第１の誘導部品は、停止部又は休止位置を画定する肩部を備えるねじである。
【００２１】
有利には、第２の誘導部品は、ねじの上を摺動するように配置された摺動スリーブである。
【００２２】
有利には、
−減衰手段は、溝内、及び第２の誘導部品の第１の支持面と第２の支持面との間に配置され、
−第１の支持面は、第２の支持面よりも大きく、
−第２の支持面は、減衰手段が溝内に挿入されることを可能にするのに十分小さく、
車両用ハンドルは、減衰手段と第２の支持面との間に配置されたスペーサを更に備える。
【００２３】
換言すれば、第２の支持面は、減衰手段の挿入を可能にするのに十分小さいが、装置全体が組み立てられるときにその保持を確実にするほど十分に大きくはない。適所への十分な保持を確実とするために、より大きい支持面を提供するように、スペーサが追加される。また、溝の幅は固定されかつ予め規定されており、弾性戻り手段によって影響を受けず、又は修正されないことも理解される。このため、減衰手段は、弾性戻り手段によって直接及ぼされる応力を含まない。
【００２４】
有利には、スペーサは、第２の支持面よりも大きい、減衰手段と共有される接触面を有する。
【００２５】
有利には、スペーサは、挟持により又は差し込みインターフェースを介して、第２の誘導部品分上に組み立てられるように配置される。挟持は、１つの部分を別の部品に組み立てることを意味すると理解され、部品のうちの少なくとも１つは、２つの部品のうちの他方に接続される、制約の少ない状態に戻る前に、組み立て中に弾性的に変形される。したがって、これは、弾性変形及び戻りによる組み立てである。かかる組み立てはまた、弾性インターロックと呼ばれ得る。
【００２６】
この実施形態は、スペーサの単純かつ効果的な組み立てを可能にする。
【００２７】
有利には、第１の支持面は、第２の接触端子によって形成される。
【００２８】
有利には、第２の接触端子は、第２の誘導部品上にオーバーモールドされる。
【００２９】
有利には、第１の接触端子は、ホーンの作動方向に対して垂直な方向に、ねじ上で挟持されるように配置される。
【００３０】
この実施形態は、ねじの配向とは無関係に、ねじのねじ軸に対する第１の接触端子の配向を作ることを可能にするため、有利である。第１の接触端子は、接触端子がねじ込まれた後にねじ上に設置することができる。
【００３１】
有利には、第１の接触端子は、電気的に絶縁性の挟持インターフェースと一体化され、挟持インターフェースは、第２の接触端子をねじ上で挟持するように配置されたクリップを備える。
【００３２】
この実施形態により、フレームから簡単な様式で絶縁されたホーン電気回路を提案することを可能とする。典型的には、挟持インターフェースは、ねじのシャフトに結合される、中央凹部を有する２つの可撓性横方向指部又はタブを備える。
【００３３】
有利には、誘導手段は、２つのねじで構成され、
電気回路部品は、２つのスイッチを備え、
ハンドルは、２つのねじと一体化された端子支持体を更に備え、端子支持体は、各スイッチの２つの第１の端子を支持する。
【００３４】
これは、いくつかの端子が単一の操作でねじ上に組み立てられるため、組み立て作業が簡素化される。
【００３５】
有利には、端子支持体は、ねじ上で挟持される。
【００３６】
本発明の第２の態様は、本発明の第１の態様による車両用ハンドルを備える自動車に関する。
【００３７】
本発明の第３の態様は、本発明の第１の態様によるハンドルを製造するための方法に関し、
−取り付け支持体を押下位置に位置決めするように弾性戻り手段を圧縮する工程と、
−ねじをねじ込む工程と、
−第１の接触端子が所定の方向になるように、第１の接触端子をねじ上で挟持する工程と、
−スイッチを閉鎖するために弾性戻り手段を解放する工程と、を含む。
【００３８】
本方法は、ホーンの停止部としてねじを使用することによって、フレームに対する第１の接触端子の最終配向において、ねじの回転の影響を伴わずに行うことを可能とするため、常閉ホーン装置の組み立てに有利である。実際に、ホーン装置の後続の配線を保証するため、第１の接触端子は、周囲の部品とのいかなる干渉の危険性も防止するために、ハンドルフレームに対して同じ方式で常に配向されることが好ましい。提案される方法は、接触端子は、ねじがねじ込まれた後に、ねじ上に設置されるのみであるためこの利点を有する。このため、接触端子は、所定の配向で容易に位置決めすることができる。接触端子が挟持されているため、本方法は、簡単かつ迅速である。
【００３９】
有利には、本方法は、取り付け支持体を減衰手段、第２の誘導部品、第２の端子、及び弾性戻り手段を用いて組み立てる工程を含む。
【図面の簡単な説明】
【００４０】
本発明の他の特徴及び利点は、非限定的な例として提供され、添付の図面によって例示される、本発明のいくつかの実施形態の以下の詳細な説明を読み取ることから、より明確に理解されることになる、
【図１】ホーン制御装置と嵌合したハンドルの第１の実施形態の分解三次元図を図示する。
【図２】ホーン制御装置が休止位置にある状態の、図１のハンドルの詳細断面図を図示する。
【図３】ホーン制御装置の分解三次元図を図示する。
【発明を実施するための形態】
【００４１】
図１は、取り付け支持体２が、取り付け支持体２内に既に係合された３つのねじ８を介して取り付けられる、ハンドルフレーム１を図示する。取り付け支持体２は、２つの開口部２１において、図示されていない、別様にエアバッグと称される、安全モジュールを受容するように配置される。２つの開口部２１は、エアバッグ用の２つの保持フックを受容し、これは次いで、図２で見られ得る弾性スナップリング２２を介して取り付け支持体２上に保持される。
【００４２】
図２は、ねじのうちの１つのねじ軸８２を通過する平面に沿った部分断面図を図示する。取り付け支持体２は、この図において休止位置にある。換言すれば、ホーンは、作動していない。
【００４３】
フランジ付きヘッドねじ８は、フレーム１上に装着され、ホーン装置のための停止部を形成する。第１の接触端子３は、絶縁挟持インターフェース３１を介してフランジ付きヘッド上で挟持される。第１の接触端子３は、導電性材料で製造される。絶縁挟持インターフェース３１は、第１の接触端子３をねじ８から、したがってハンドルフレームから電気的に絶縁することを可能とする。第１の接触端子３を挟持すること、具体的には、ねじ８のねじ軸８２に対して垂直な図３に詳述される方向３２において挟持することによる設置は、ねじ８が完全にねじ込まれた後に実行することができるため有利である。このため、第１の接触端子３の最終配向は、ねじ８の最終配向に依存しない。
【００４４】
示される実施形態では、ねじ８は、滑らかな誘導面８１を備える。したがって、ねじ８は、装置の誘導手段の第１の誘導部品である。滑らかな面８１は、ねじ軸８２に沿って平行移動する第２の誘導部品７を誘導する。第２の誘導部品７は、電気絶縁性プラスチック部品の形態である。
【００４５】
第２の誘導部品７は、図３でより明確に見ることができるノッチの形態の押圧インターフェース７１を備え、ここでは、弾性戻り手段として使用されるばね９の第１の端部が支えられる。ばね９の第２の端部がフレーム１に支えられた状態で、ノッチ７１は、第２の誘導部品７を休止位置に戻すように押圧することを可能とし、記載される実施形態では、フランジ付きヘッドねじ８上に当接する。
【００４６】
第２の誘導部品７の長さは、ノッチ７１に続いて、減衰手段５、及び減衰手段５を溝７２内に正確に保持することを可能とするスペーサ６が位置決めされる、溝７２を備える。減衰手段５は、例えば、ＥＰＤＭで形成された環状リングの形状を有する。溝７２は、第１の支持面を形成し、第２の誘導部品上でオーバーモールドされる第２の接触端子４と、第２の支持面を形成するノッチ７１とによって一方の側部上で形成される。第２の接触端子４は、導電性材料で製造され、ホーンの電気回路に接続するために、図３で見ることができる接触ストリップ４１を備える。
【００４７】
第２の接触端子４の面は、減衰手段５の十分な支持面を提供するのに十分に大きい。ノッチ７１は、ばね９のための十分な支持面を有するが、第２の接触端子４によって提供される支持面よりも小さい。このより小さい支持面は、減衰手段５の挿入を可能にするが、しかしながら、ハンドルが組み立てられたときに減衰手段５を正確に保持することを確実とするには十分ではない。したがって、減衰手段５の挿入後に第２の誘導部品７上に組み立てられるスペーサ６によって相補的な支持面が提供される。このスペーサ６の後続の組み立ては、スペーサ６の内側に位置決めされたノッチによって可能とされ、これは図３でより明確に見ることができる。これらのノッチは、第２の誘導部品上に存在するものと相補的であり、それと共に差し込みインターフェースを形成し、ここで、並進移動次いでねじ軸８２に対する回転によってスペーサ６の組み立てを可能にする。一度組み立てられるとスペーサ６のいずれの放出も防止するために、スペーサ６はまた、ラグ６１も備え、これは図３で見ることができ、押圧インターフェース７１のノッチ上で支持することによってスペーサ６の回転を阻止する。代替的に、スペーサ６は、ねじ軸８２に沿った移動によって、又はねじに垂直な軸に沿ってねじ上で挟持され得る。
【００４８】
減衰手段５は、取り付け支持体２上で挟持される。取り付け支持体２と減衰手段５との間には、径方向の隙間５１が提供されて、第２の誘導部品７への挿入中、特に押圧インターフェース７１の通過中に、隙間が変形することを可能にする。取り付け支持体２は、様々なインターフェース要素２４がプラスチック内にオーバーモールドされる金属コア２３で形成される。図示されていないエアバッグモジュールは、弾性スナップリング２２によって取り付け支持体２上に保持される。
【００４９】
作動力が作動方向に適用されるとき、すなわち、フレーム１に向かう力が、ねじ８のねじ軸８２に対して平行な軸に沿ってエアバッグモジュールに適用されるとき、それ自体が、ハンドルの回転軸に対して実質的に平行であり、車両のハンドルの配向を変更することを可能とし、これは、取り付け支持体２の変位をもたらし、
−取り付け支持体２と減衰手段５との間、
−減衰手段５とスペーサ６との間、
−スペーサ６と押圧インターフェース７１との間の接触に起因して、
第２の誘導部品７の変位、第１の端子３と第２の端子４との間の接触の開放、ひいてはホーン装置の作動を引き起こす。
【００５０】
エアバッグモジュール上の力が解放されるとき、ばね９は、装置の組み立て体を図の上部に向かって戻るように押圧し、第１の端子３と第２の端子４との間の接触を閉鎖し、したがってホーン装置の非作動を引き起こす。戻り力が減衰手段５を介さずに、押圧インターフェース７１を介して第２の誘導部品７上のばね９によって適用されるため、減衰手段５の減衰特性は、最適化される。これは、効果を出すために、減衰手段５がちょうど制約されなければならないからである。これは、第２の接触端子４を伴い、固定され所定の幅の空間を画定するスペーサ６によって達成され、この空間は、ばね９によって生成された戻り力によって修正されない。換言すれば、休止位置では、ばね９の戻り力は、減衰手段を介して、常時又は一時的のいずれでも通過しない。
【００５１】
図３は、ホーン制御装置の分解三次元図を図示する。取り付け支持体２は、この図では示されない。この図は、絶縁挟持インターフェース３１をより詳細に示す。馬蹄形状又は閉鎖されたＵ字形状であるこの部分は、ねじ８のねじ軸８２に対して実質的に垂直な方向３２において挟持されるねじ８の直径よりもわずかに小さい開口部を有する。第１の接触端子３は、複数のツメ３２によって絶縁挟持インターフェース３１上に保持される。
【００５２】
ハンドルの組み立ては、
−取り付け支持体２、減衰手段５、第２の誘導部品４、スペーサ６、及び弾性戻り手段又はばね９を含むサブ組み立て体をフレーム１上に位置決めする工程と、
−取り付け支持体２を押下位置に位置決めするように弾性戻り手段又はばね９を圧縮する工程と、
−ねじ８をねじ込む工程と、
−第１の接触端子３を所定の方向において配向するように、第１の接触端子３をねじ８上で挟持する工程と、
−弾性戻り手段又はばね９を解放する工程と、を含む。
【００５３】
当業者に明らかな様々な修正及び／又は改善は、添付の特許請求の範囲によって定義される本発明の範囲を超えることなく、本明細書に記載される本発明の異なる実施形態に行うことができることが理解されるであろう。具体的には、装置は、
−前述の詳細な説明は、常閉スイッチを有するシステムに集中しているが、常開ホーン装置に対しても適用される。
−前述の詳細な説明は、絶縁挟持インターフェース３１の存在に起因して、及び絶縁システム上で濃縮され、絶縁性の第２の誘導部品７がプラスチック製であることに起因して、絶縁システムに集中しているが、絶縁されていないホーン装置、すなわち、ホーンの電気回路がハンドルの導電性フレーム１を備える装置に対しても適用される。
【図１】
2022500292.tif 000003
【図２】
2022500292.tif 000004
【図３】
2022500292.tif 000005
【国際調査報告】
2022500292.tif 000006
2022500292.tif 000007
2022500292.tif 000008
2022500292.tif 000009
2022500292.tif 000010